(57)【特許請求の範囲】
【請求項１】
電流源により定電流駆動される発光素子の一端に駆動電圧を供給するスイッチング電源の制御回路であって、
前記スイッチング電源の出力電圧に応じた検出電圧が所定の基準電圧と一致するようにデューティ比が調節されるパルス信号を生成するパルス変調器と、
前記パルス信号にもとづき前記スイッチング電源のスイッチング素子を駆動するドライバと、
スタンバイ信号がスタンバイ状態を指示するレベルに遷移すると、前記スイッチング素子のスイッチングを停止し、その後、所定時間経過後に、前記制御回路および前記電流源をシャットダウンするスタンバイ制御部と、
その出力端子にキャパシタが接続され、動作状態においてその出力端子に生ずる電圧を所定レベルに安定化し、前記ドライバに供給する内部電源と、
を備え、
前記スタンバイ制御部は、
前記スタンバイ信号がスタンバイ状態を指示するレベルに遷移すると、前記内部電源を停止状態とするロジック部と、
前記内部電源の前記出力端子に接続された放電回路と、
前記内部電源の前記出力端子の電位を所定のしきい値電圧と比較するコンパレータと、
を含み、前記コンパレータの出力に応じて、前記制御回路の少なくとも一部の回路ブロックをシャットダウンすることを特徴とする制御回路。
【請求項２】
定電流駆動される発光素子の一端に駆動電圧を供給するスイッチング電源の制御回路であって、
前記スイッチング電源の出力電圧に応じた検出電圧が所定の基準電圧と一致するようにデューティ比が調節されるパルス信号を生成するパルス変調器と、
前記パルス信号にもとづき、前記スイッチング電源のスイッチング素子を駆動するドライバと、
前記発光素子の前記一端と接地端子の間に設けられた放電経路を含み、スタンバイ信号がスタンバイ状態を指示するレベルに遷移すると前記放電経路が導通するよう構成された放電回路と、
スタンバイ信号がスタンバイ状態を指示するレベルに遷移すると、前記制御回路をシャットダウンするスタンバイ制御部と、
その出力端子にキャパシタが接続され、動作状態においてその出力端子に生ずる電圧を所定レベルに安定化し、前記ドライバに供給する内部電源と、
を備え、
前記放電回路は、
前記発光素子の前記一端と接地端子の間の前記放電経路上に設けられた第１トランジスタと、
前記スタンバイ信号に応じて前記第１トランジスタのオンオフを切りきりかえるゲート制御回路と、
を含み、
前記ゲート制御回路は、
前記第１トランジスタの制御端子と接地端子の間に、並列に設けられた第１抵抗およびダイオードと、
前記内部電源の出力端子と接地端子の間に順に直列に設けられた第２抵抗および第２トランジスタと、
前記第１トランジスタの制御端子と、前記第２抵抗と前記第２トランジスタの接続ノードとの間に設けられたキャパシタと、
を含み、前記スタンバイ信号は、前記第２トランジスタの制御端子に入力されることを特徴とする制御回路。
【請求項３】
前記放電回路は、前記パルス変調器および前記スタンバイ制御部が形成される半導体基板に外付けされることを特徴とする請求項２に記載の制御回路。
【請求項４】
発光素子と、
前記発光素子の一端に駆動電圧を供給するスイッチング電源と、
前記発光素子の他端に接続され、前記発光素子に目標輝度に応じた駆動電流を供給する電流駆動回路と、
を備え、前記スイッチング電源は、
スイッチング素子を含む出力回路と、
前記スイッチング素子を駆動する請求項１から３のいずれかに記載の制御回路と、
を含むことを特徴とする発光装置。
【請求項５】
液晶パネルと、
前記液晶パネルのバックライトとして設けられた請求項４に記載の発光装置と、
を備えることを特徴とする電子機器。
【発明の詳細な説明】
【技術分野】
【０００１】
本発明は、発光装置に関する。
【背景技術】
【０００２】
近年、液晶パネルのバックライトや照明機器として、ＬＥＤ（発光ダイオード）をはじめとする発光素子を利用した発光装置が利用される。図１は、本発明者が検討した発光装置の構成例を示す回路図である。ここで説明される発光装置１００３およびその動作は、本出願人が従来技術と認めるものではない。発光装置１００３は、ＬＥＤストリング６と、スイッチング電源１００４と、電流駆動回路１００８を備える。
【０００３】
ＬＥＤストリング６は、直列に接続された複数のＬＥＤを含む。スイッチング電源１００４は、入力電圧ＶＩＮを昇圧してＬＥＤストリング６のアノード側の一端に駆動電圧ＶＯＵＴを供給する。
【０００４】
電流駆動回路１００８は、アナログ調光およびバースト調光（ＰＷＭ調光ともいう）を併用して、ＬＥＤストリング６の輝度を調節する。電流源ＣＳは、ＬＥＤストリング６のカソード側の一端に接続され、ＬＥＤストリング６に、目標輝度に応じた駆動電流ＩＬＥＤを供給する。駆動電流ＩＬＥＤの大きさにもとづく調光をアナログ調光という。
【０００５】
ＰＷＭコントローラ１００９は、バースト調光に応じたデューティ比で電流源ＣＳを間欠的にオンさせる。これにより、デューティ比に応じたオン期間ＴＯＮにのみ、ＬＥＤストリング６に駆動電流ＩＬＥＤが流れることになり、駆動電流ＩＬＥＤの時間平均が制御され、輝度が調節される。
【０００６】
スイッチング電源１００４は、出力回路１１０２と、制御ＩＣ１１００を備える。出力回路１１０２は、インダクタＬ１、スイッチングトランジスタＭ１、整流ダイオードＤ１、出力キャパシタＣ１を含む。制御ＩＣ１１００は、スイッチングトランジスタＭ１のオン、オフのデューティ比を制御することにより、駆動電圧ＶＯＵＴを調節する。
【０００７】
制御ＩＣ１１００は、電流源ＣＳの両端間の電圧、つまりＬＥＤストリング６のカソード側の一端の電位（検出電圧という）ＶＬＥＤが、所定の基準電圧ＶＲＥＦと一致するように、駆動電圧ＶＯＵＴを安定化させる。誤差増幅器２２は、検出電圧ＶＬＥＤと基準電圧ＶＲＥＦの誤差を増幅し、フィードバック電圧ＶＦＢを生成する。パルス幅変調器ＰＷＭは、フィードバック電圧ＶＦＢに応じたデューティ比を有するパルス信号ＳＰＷＭを生成する。ドライバＤＲは、パルス信号ＳＰＷＭにもとづきスイッチングトランジスタＭ１を駆動する。
【０００８】
駆動電圧ＶＯＵＴは、抵抗Ｒｏ１、Ｒｏ２によって分圧され、制御ＩＣ１１００に入力される。制御ＩＣ１１００は、分圧された駆動電圧ＶＯＵＴ（以下、ＯＶＰ電圧ＶＯＶＰという）によって過電圧状態などを検出する。
【先行技術文献】
【特許文献】
【０００９】
【特許文献１】特開２００６−１１４３２４号公報
【特許文献２】特開２００８−３００２０８号公報
【特許文献３】特開２００６−３３９２９８号公報
【特許文献４】特開２００８−０６４４７７号公報
【特許文献５】特開２００８−２５８４２８号公報
【特許文献６】特開２００７−１５８０８３号公報
【発明の概要】
【発明が解決しようとする課題】
【００１０】
制御ＩＣ１１００には、図示しないマイコン等から、スタンバイ信号ＳＴＢが入力される。制御ＩＣ１１００は、スタンバイ信号ＳＴＢが第１レベル（たとえばハイレベル）のときに、上述の動作によってＬＥＤストリング６を点灯し、スタンバイ信号ＳＴＢが第２レベル（たとえばローレベル）のときに、スイッチングトランジスタＭ１を停止するとともに電流源ＣＳをオフし、ＬＥＤストリング６を消灯する。
【００１１】
本発明者らは、図１の発光装置について検討を行った結果、以下の課題を認識するに至った。
【００１２】
図２は、図１の発光装置１００３の動作を示す波形図である。時刻ｔ１以前、スタンバイ信号ＳＴＢがハイレベルとなっている。このとき、出力電圧ＶＯＵＴは所定レベルに安定化され、ＬＥＤストリング６には駆動電流ＩＬＥＤが流れる。またフィードバック電圧ＶＦＢも、ある電圧レベルＶａ付近に保たれている。ＶＬＥＤ＞ＶＲＥＦのときに、フィードバック電圧ＶＦＢは低くなり、スイッチングトランジスタＭ１のオン期間は短くなり、駆動電圧ＶＯＵＴが低下する方向にフィードバックがかかる。反対にＶＬＥＤ＜ＶＲＥＦのときにはフィードバック電圧ＶＦＢが高くなり、スイッチングトランジスタＭ１のオン時間が短くなる方向にフィードバックがかかる。
【００１３】
時刻ｔ１にスタンバイ信号ＳＴＢがローレベルに遷移する。これにより、制御ＩＣ１１００の内部の回路ブロック（２０、２２、２８）がシャットダウンし、スイッチングトランジスタＭ１のスイッチングが停止する。またスタンバイ信号ＳＴＢがローレベルとなると電流源ＣＳも停止する。
【００１４】
スイッチングトランジスタＭ１のスイッチングが停止すると、出力キャパシタＣ１の電荷が、抵抗Ｒｏ１、Ｒｏ２を介して放電され、駆動電圧ＶＯＵＴは緩やかに低下する。また、誤差増幅器２２の出力電圧ＶＦＢは、誤差増幅器２２のシャットダウンにより実質的に接地電圧０Ｖまで低下する。
【００１５】
時刻ｔ２にスタンバイ信号ＳＴＢがハイレベルに遷移する。これにより制御ＩＣ１１００がスタンバイ状態から復帰し、その内部の回路ブロックの動作が再開する。スタンバイ期間ＴＳＴＢがそれほど長くなければ、時刻ｔ２において駆動電圧ＶＯＵＴは十分に高いレベルを維持しているため、ＬＥＤストリング６には駆動電流ＩＬＥＤが流れ、発光する。
【００１６】
時刻ｔ２において、駆動電圧ＶＯＵＴは目標値より低く、検出電圧ＶＬＥＤは基準電圧ＶＲＥＦよりも低い。したがって、検出電圧ＶＬＥＤを上昇させるためには、スイッチングトランジスタＭ１のオン時間が長くなるようにフィードバックをかける必要がある。ところが、フィードバック電圧ＶＦＢは０Ｖに低下しているため、検出電圧ＶＬＥＤが基準電圧ＶＲＥＦより低いにもかかわらず、スイッチングトランジスタＭ１のオン時間が短くなり、検出電圧ＶＬＥＤがさらに低下する方向にフィードバックがかかってしまう。これにより、駆動電流ＩＬＥＤが低下する。その後、フィードバック電圧ＶＦＢがもとの電圧レベルＶａに近づいていき、駆動電圧ＶＬＥＤも元のレベルに復帰する。
【００１７】
このように図１の発光装置１００３では、スタンバイ状態からの復帰時に、ＬＥＤストリング６が発光し、その後発光強度が低下した後に、目標の強度で発光する。これはＬＥＤストリング６のちらつき（フリッカー）として現れるため好ましくない。
【００１８】
本発明はこうした課題に鑑みてなされたものであり、そのある態様の例示的な目的のひとつは、スタンバイ状態からの復帰時におけるちらつきの抑制にある。
【課題を解決するための手段】
【００１９】
本発明のある態様は、電流源により定電流駆動される発光素子の一端に駆動電圧を供給するスイッチング電源の制御回路に関する。制御回路は、スイッチング電源の出力電圧に応じた検出電圧が所定の基準電圧と一致するようにデューティ比が調節されるパルス信号を生成するパルス変調器と、パルス信号にもとづきスイッチング電源のスイッチング素子を駆動するドライバと、スタンバイ信号がスタンバイ状態を指示するレベルに遷移すると、スイッチング素子のスイッチングを停止し、その後、所定時間経過後に、制御回路および電流源をシャットダウンするスタンバイ制御部と、を備える。
【００２０】
スタンバイ状態への遷移後、所定時間の経過までの期間、スイッチングトランジスタは停止する一方、発光素子に接続される電流源は動作し続ける。その結果、発光素子を介してスイッチング電源の出力キャパシタの電荷が放出され、出力電圧を低下させることができる。これにより、次にスタンバイ状態から動作状態へ遷移直後に、発光素子が一旦発光するのを抑制できる。
【００２１】
ある態様の制御回路は、内部電源をさらに備えてもよい。内部電源は、その出力端子にキャパシタが接続され、動作状態において出力端子に生ずる電圧を所定レベルに安定化し、ドライバに供給する。スタンバイ制御部は、スタンバイ信号がスタンバイ状態を指示するレベルに遷移すると、内部電源を停止状態とするロジック部と、内部電源の出力端子に接続された放電回路と、内部電源の出力端子の電位を所定のしきい値電圧と比較するコンパレータと、を含む。制御回路は、コンパレータの出力に応じてシャットダウンしてもよい。
この態様によれば、内部電源を、所定時間を測定するためのタイマー回路として利用できる。
【００２２】
本発明の別の態様もまた、定電流駆動される発光素子の一端に駆動電圧を供給するスイッチング電源の制御回路に関する。この制御回路は、スイッチング電源の出力電圧に応じた検出電圧が所定の基準電圧と一致するようにデューティ比が調節されるパルス信号を生成するパルス変調器と、パルス信号にもとづきスイッチング電源のスイッチング素子を駆動するドライバと、発光素子の一端と接地端子の間に設けられ、スタンバイ信号がスタンバイ状態を指示するレベルに遷移すると導通する放電回路と、スタンバイ信号がスタンバイ状態を指示するレベルに遷移すると制御回路をシャットダウンするスタンバイ制御部と、を備える。
【００２３】
この態様によるとスタンバイ状態への遷移後、放電回路を介してスイッチング電源の出力キャパシタの電荷が放出され、出力電圧を低下させることができる。これにより、次にスタンバイ状態から動作状態へ遷移直後に、発光素子が一旦発光するのを抑制できる。
【００２４】
本発明のさらに別の態様は、発光装置である。この発光装置は、発光素子と、発光素子の一端に駆動電圧を供給するスイッチング電源と、発光素子の他端に接続され、発光素子に目標輝度に応じた駆動電流を供給する電流駆動回路と、を備える。スイッチング電源は、スイッチング素子を含む出力回路と、スイッチング素子を駆動する上述のいずれかの態様の制御回路と、を含む。
【００２５】
本発明のさらに別の態様は、電子機器である。この電子機器は、液晶パネルと、液晶パネルのバックライトとして設けられた上述の発光装置と、を備える。
【００２６】
なお、以上の構成要素の任意の組み合わせや本発明の構成要素や表現を、方法、装置、システムなどの間で相互に置換したものもまた、本発明の態様として有効である。
【発明の効果】
【００２７】
本発明のある態様によれば、スタンバイ状態からの復帰時におけるちらつきを抑制できる。
【図面の簡単な説明】
【００２８】
【図１】本発明者が検討した発光装置の構成例を示す回路図である。
【図２】図１の発光装置の動作を示す波形図である。
【図３】第１の実施の形態に係るスイッチング電源を備える電子機器の構成を示す回路図である。
【図４】図３の発光装置の動作を示すタイムチャートである。
【図５】第２の実施の形態に係る発光装置の構成を示す回路図である。
【図６】図５の発光装置の動作を示すタイムチャートである。
【発明を実施するための形態】
【００２９】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００３０】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００３１】
（第１の実施の形態）
図３は、第１の実施の形態に係るスイッチング電源を備える電子機器の構成を示す回路図である。
【００３２】
電子機器２は、ノートＰＣ、デジタルカメラ、デジタルビデオカメラ、携帯電話端末、ＰＤＡ（Personal Digital Assistant）などの電池駆動型の機器であり、発光装置３とＬＣＤ（Liquid Crystal Display）パネル５を備える。発光装置３はＬＣＤパネル５のバックライトとして設けられる。
【００３３】
発光装置３は、発光素子であるＬＥＤストリング６＿１〜６＿ｎと、電流駆動回路８と、スイッチング電源４と、を備える。
【００３４】
各ＬＥＤストリング６は、直列に接続された複数のＬＥＤを含む。スイッチング電源４は、昇圧型のＤＣ／ＤＣコンバータであり、入力端子Ｐ１に入力された入力電圧（たとえば電池電圧）ＶＩＮを昇圧して、出力端子Ｐ２に接続される出力ラインに、出力電圧（駆動電圧）ＶＯＵＴを発生させる。複数のＬＥＤストリング６＿１〜６＿ｎそれぞれの一端（アノード）は、出力ラインに共通に接続される。
【００３５】
スイッチング電源４は、制御ＩＣ１００および出力回路１０２を備える。出力回路１０２は、インダクタＬ１、整流ダイオードＤ１、スイッチングトランジスタＭ１、出力キャパシタＣ１を含む。出力回路１０２のトポロジーは一般的であるため、説明を省略する。またそのトポロジーにさまざまな変形があることが当業者には理解され、本発明において限定されるものではない。
【００３６】
制御ＩＣ１００のスイッチング端子Ｐ４は、スイッチングトランジスタＭ１のゲートと接続される。制御ＩＣ１００は、ＬＥＤストリング６の点灯に必要な出力電圧ＶＯＵＴが得られるように、フィードバックによりスイッチングトランジスタＭ１のオン、オフのデューティ比を調節する。なおスイッチングトランジスタＭ１は制御ＩＣ１００に内蔵されてもよい。
【００３７】
電流駆動回路８は、複数のＬＥＤストリング６＿１〜６＿ｎの他端（カソード）と接続される。電流駆動回路８は、ＬＥＤストリング６＿１〜６＿ｎそれぞれに、目標輝度に応じた間欠的な、あるいは直流の駆動電流ＩＬＥＤ１〜ＩＬＥＤｎを供給する。具体的には電流駆動回路８は、ＬＥＤストリング６＿１〜６＿ｎごとに設けられた複数の電流源ＣＳ１〜ＣＳｎと、ＰＷＭコントローラ９を備える。ｉ番目の電流源ＣＳｉは、対応するｉ番目のＬＥＤストリング６＿ｉのカソードと接続されている。電流源ＣＳｉは、ＰＷＭコントローラ９から出力される制御信号ＰＷＭｉに応じて、駆動電流ＩＬＥＤｉを出力する動作（アクティブ）状態φＯＮと、駆動電流ＩＬＥＤｉを停止する停止状態φＯＦＦが切りかえ可能に構成される。ＰＷＭコントローラ９は、目標輝度に応じたデューティ比を有する制御信号ＰＷＭｉ〜ＰＷＭｎを生成し、電流源ＣＳ１〜ＣＳｎに出力する。制御信号ＰＷＭｉがアサート（たとえばハイレベル）される期間（点灯期間ＴＯＮ）、対応する電流源ＣＳｉは動作状態φＯＮとなり、ＬＥＤストリング６＿ｉは点灯する。制御信号ＰＷＭｉがネゲート（たとえばローレベル）される期間（消灯期間ＴＯＦＦ）、対応する電流源ＣＳｉは停止状態φＯＦＦとなり、ＬＥＤストリング６＿ｉは消灯する。点灯期間ＴＯＮと消灯期間ＴＯＦＦの時間比率を制御することにより、ＬＥＤストリング６＿ｉに流れる駆動電流ＩＬＥＤの実効値（時間平均値）が制御され、輝度を調節することができる。電流駆動回路８によるＰＷＭ駆動の周波数は数十〜数百Ｈｚである。
【００３８】
制御ＩＣ１００と電流駆動回路８は、図３のように別々のチップに集積化される。それらは、単一のパッケージ（モジュール）を構成してもよいし、別々のパッケージを構成してもよい。あるいは、制御ＩＣ１００と電流駆動回路８を単一のチップに集積化してもよい。
【００３９】
以上が発光装置３全体の構成である。続いて制御ＩＣ１００の構成を説明する。制御ＩＣ１００は、ＬＥＤストリング６＿１〜６＿ｎごとに設けられたＬＥＤ端子ＬＥＤ１〜ＬＥＤｎを備える。各ＬＥＤ端子ＬＥＤｉは、対応するＬＥＤストリング６＿ｉのカソード端子と接続される。なお、ＬＥＤストリングは複数である必要はなく、１個であってもよい。
【００４０】
制御ＩＣ１００は、主としてパルス生成部１９、ドライバ２８、内部電源３０、スタンバイ制御部５０、過電圧保護（OVP: Over Voltage Protection）回路７０を備える。
【００４１】
パルス生成部１９は、ＬＥＤストリング６の点灯期間ＴＯＮにおいて、出力電圧ＶＯＵＴに応じた検出電圧が所定の基準電圧ＶＲＥＦと一致するようにデューティ比が調節されるパルス信号ＳＰＷＭを生成する。図３において、検出電圧は、ＬＥＤストリング６のカソード端子に生ずる電圧（ＬＥＤ端子電圧）ＶＬＥＤ１〜ＶＬＥＤｎのうち、最も低いひとつであり、以下ではＶＬＥＤと記す。なお別の実施の形態において、検出電圧として別の電圧、たとえば出力電圧ＶＯＵＴを分圧した電圧ＶＯＶＰを用いてもよい。
【００４２】
ドライバ２８は、パルス信号ＳＰＷＭにもとづき、スイッチングトランジスタＭ１を駆動する。内部電源３０は、動作状態において出力端子Ｐ５に生ずる電圧ＶＲＥＧを所定レベル（たとえば５Ｖ）に安定化し、ドライバ２８に供給する。ドライバ２８は、パルス信号ＳＰＷＭが第１レベル（たとえばハイレベル）のときスイッチングトランジスタＭ１のゲートに電圧ＶＲＥＧを、パルス信号ＳＰＷＭが第２レベル（たとえばローレベル）のときスイッチングトランジスタＭ１のゲートに接地電圧ＶＳＳを印加する。
【００４３】
点灯期間ＴＯＮにおいて制御ＩＣ１００は、スイッチング電源４の出力電圧ＶＯＵＴを、ＬＥＤストリング６＿１〜６＿ｎの駆動に最適な電圧レベルに調節する。消灯期間ＴＯＦＦにおいては、ＬＥＤストリング６＿１〜６＿ｎに供給される駆動電流ＩＬＥＤ１〜ＩＬＥＤｎがゼロ、すなわちスイッチング電源４が無負荷状態となるため、制御ＩＣ１００はスイッチングトランジスタＭ１をオフ状態としてもよい。
【００４４】
続いてパルス生成部１９の構成例を説明する。
パルス生成部１９は、誤差増幅器２２、パルス変調器２０を備える。誤差増幅器２２は、ＬＥＤストリング６の点灯期間において、検出電圧ＶＬＥＤと基準電圧ＶＲＥＦの誤差を増幅し、誤差に応じたフィードバック電圧ＶＦＢを生成する。
【００４５】
具体的には誤差増幅器２２は、複数の反転入力端子（−）と、ひとつの非反転入力端子（＋）を有する。複数の反転入力端子にはそれぞれ、ＬＥＤ端子電圧ＶＬＥＤ１〜ＶＬＥＤｎが入力され、非反転入力端子には基準電圧ＶＲＥＦが入力される。誤差増幅器２２は、最も低いＬＥＤ端子電圧（検出電圧）ＶＬＥＤと基準電圧ＶＲＥＦの誤差に応じたフィードバック電圧ＶＦＢを生成する。
【００４６】
パルス変調器２０は、たとえばパルス幅変調器であり、フィードバック電圧ＶＦＢに応じたデューティ比を有し、かつ固定された周期を有するパルス信号ＳＰＷＭを生成する。具体的にはフィードバック電圧ＶＦＢが高いほどパルス信号ＳＰＷＭのデューティ比は大きくなる。
【００４７】
たとえばパルス変調器２０は、オシレータ２４、ＰＷＭコンパレータ２６を含む。オシレータ２４は、三角波もしくはのこぎり波の周期電圧ＶＯＳＣを生成する。ＰＷＭコンパレータ２６はフィードバック電圧ＶＦＢを周期電圧ＶＯＳＣと比較し、比較結果に応じたレベルを有するＰＷＭ信号ＳＰＷＭを生成する。なお、パルス変調器２０としてパルス周波数変調器などを用いてもよい。ＰＷＭ信号ＳＰＷＭの周波数は、電流駆動回路８によるＰＷＭ駆動の周波数に比べて十分に高く、数百ｋＨｚ（たとえば６００ｋＨｚ）である。
【００４８】
ＯＶＰ回路７０は、出力電圧ＶＯＵＴに応じたＯＶＰ電圧ＶＯＶＰを受け、過電圧しきい値電圧より高くなると、所定の過電圧保護を行う。
【００４９】
スタンバイ制御部５０には、スタンバイ信号ＳＴＢを受ける。スタンバイ制御部５０は、スタンバイ信号ＳＴＢがスタンバイ状態を指示するレベル（たとえばローレベル）に遷移すると、スイッチングトランジスタＭ１のスイッチングを停止し、その後、所定時間τＤ経過後に、制御回路１００をシャットダウンするとともに、電流駆動回路８をシャットダウンする。
【００５０】
スタンバイ制御部５０は、所定時間τＤを計測するタイマー回路を含んでもよい。たとえばタイマー回路は、キャパシタと、キャパシタを充電し、および／または放電する充放電回路と、キャパシタの電圧をしきい値電圧と比較するコンパレータと、で構成できる。
【００５１】
図３において、内部電源３０の出力端子Ｐ５に接続されるキャパシタＣＲＥＧと、放電回路５２、コンパレータ５４が、タイマー回路を形成する。
放電回路５２は、内部電源３０の出力端子Ｐ５、言い換えればキャパシタＣＲＥＧに接続され、キャパシタＣＲＥＧから電荷を引き抜く。放電回路５２は電流源であってもよいし、抵抗であってもよい。ロジック部５６は、スタンバイ信号ＳＴＢがローレベルに遷移すると、内部電源３０を停止状態とする。スタンバイ状態では、スイッチングトランジスタＭ１のスイッチングは停止されるため、内部電源３０が停止状態となっても支障はない。コンパレータ５４は、内部電源３０の出力端子Ｐ５の電位ＶＲＥＧを所定のしきい値電圧ＶＴＨと比較する。
【００５２】
このタイマー回路によれば、スタンバイ信号ＳＴＢがハイレベルからローレベルに遷移してから、式（１）で与えられる所定時間τＤ経過後に、コンパレータ５４の出力Ｓ３が変化する。Ｉｃは、放電回路５２が発生する電流値である。つまり、出力端子Ｐ５に接続するキャパシタＣＲＥＧの容量値に応じて、時間τＤを調節することができる。
τＤ＝ＣＲＥＧ×（ＶＲＥＧ−ＶＴＨ）／Ｉｃ    …（１）
【００５３】
ロジック部５６は、コンパレータ５４の出力に応じて、制御回路１００をシャットダウンするとともに、電流駆動回路８をシャットダウンする。
【００５４】
以上が制御ＩＣ１００の構成である。
続いて発光装置３の動作を説明する。図４は、図３の発光装置３の動作を示すタイムチャートである。
時刻ｔ１以前、スタンバイ信号ＳＴＢがハイレベルとなっている。このとき、出力電圧ＶＯＵＴは所定レベルに安定化され、ＬＥＤストリング６には駆動電流ＩＬＥＤが流れる。ＬＥＤストリング６の電圧降下（順方向電圧）をＶＦとするとき、ＶＯＵＴ＝ＶＦ＋ＶＲＥＦが成り立つ。
【００５５】
時刻ｔ１にスタンバイ信号ＳＴＢがローレベルに遷移する。これを契機としてスタンバイ制御部５０は、制御信号Ｓ１を出力し、ドライバ２８が出力するスイッチングトランジスタＭ１のゲート電圧をローレベルに固定させる。また、ロジック部５６は、内部電源３０に対して制御信号Ｓ２を出力し、内部電源３０を停止状態（シャットダウン）とする。
【００５６】
内部電源３０が停止状態となると、キャパシタＣＲＥＧに対する電荷の供給が停止し、その出力電圧ＶＲＥＧは放電回路５２による放電により時間とともに低下する。そして所定時間τＤ経過後の時刻ｔ２に、出力電圧ＶＲＥＧがしきい値電圧ＶＴＨに低下し、コンパレータ５４の出力Ｓ３が変化する。ロジック部５６は、コンパレータ５４の出力Ｓ３が変化すると、制御信号Ｓ４を出力し、制御ＩＣ１００の内部電源３０以外の残りの回路ブロック１９、５０、７０をシャットダウンするとともに、制御信号Ｓ５を出力し、電流駆動回路８をシャットダウンする。
【００５７】
ＬＥＤストリング６を介して駆動電流ＩＬＥＤが流れることにより、スイッチング電源４の出力電圧ＶＯＵＴは徐々に低下していく。また出力電圧ＶＯＵＴの低下にともない駆動電流ＩＬＥＤも低下していく。出力電圧ＶＯＵＴはやがて０Ｖとなる。
【００５８】
時刻ｔ３にスタンバイ信号ＳＴＢがハイレベルに戻り、スタンバイ状態から通常の動作状態への復帰が指示される。このとき、出力電圧ＶＯＵＴはゼロであるため、ＬＥＤストリング６は発光しない。制御ＩＣ１００は、所定のソフトスタートシーケンスにしたがい出力電圧ＶＯＵＴを徐々に上昇させる。出力電圧ＶＯＵＴの上昇にともない、駆動電流ＩＬＥＤも増加していく。
【００５９】
以上が発光装置３の動作である。この発光装置３によれば、スタンバイ状態からの復帰時に、出力電圧ＶＯＵＴはＬＥＤストリング６が発光しない電圧レベルまで低下しているため、図２で説明したようなちらつきを好適に防止することができる。
【００６０】
（第２の実施の形態）
図５は、第２の実施の形態に係る発光装置３ａの構成を示す回路図である。制御ＩＣ１００ａの基本構成は、図１あるいは図３のそれと同様であり、スイッチング電源４ａの出力電圧ＶＯＵＴに応じた検出電圧ＶＬＥＤが所定の基準電圧ＶＲＥＦと一致するようにデューティ比が調節されるパルス信号ＳＰＷＭを生成するパルス生成部１９と、パルス信号ＳＰＷＭにもとづきスイッチングトランジスタＭ１を駆動するドライバ２８と、を備える。放電回路６０は、制御ＩＣ１００ａに外付けされ、制御ＩＣ１００ａとともに制御回路を形成する。
【００６１】
放電回路６０は、ＬＥＤストリング６の一端（アノード）と接地端子の間に設けられた放電経路６２を含み、スタンバイ信号がスタンバイ状態を指示するレベルに遷移すると、放電経路６２が導通するように構成される。放電経路６２は、抵抗Ｒ１および第１トランジスタＭ２を含む。第１トランジスタＭ２のオンが、放電経路６２の導通に対応する。
【００６２】
第１抵抗Ｒ２、第２抵抗Ｒ３、ダイオードＤ２、キャパシタＣ２、第２トランジスタＭ３は、スタンバイ信号ＳＴＢにもとづき、第１トランジスタＭ２のオン、オフを切りかえるゲート制御回路６４を構成する。スタンバイ信号ＳＴＢがハイレベルのとき、第２トランジスタＭ３がオンとなり、第１トランジスタＭ２の制御端子（ゲート）の電圧がローレベルとなって、放電経路６２は遮断する。反対にスタンバイ信号ＳＴＢがローレベルのとき第２トランジスタＭ３がオフとなり、第１トランジスタＭ２のゲートには、第１トランジスタＭ２のゲートソース間しきい値電圧より高い電圧が印加され、第１トランジスタＭ２がオンし、放電経路６２が導通する。
【００６３】
制御ＩＣ１００ａのスタンバイ制御部５０ａは、スタンバイ信号ＳＴＢがスタンバイ状態を指示するレベルに遷移すると、制御ＩＣ１００ａおよび電流駆動回路８をシャットダウンする。
【００６４】
以上が発光装置３ａの構成である。続いてその動作を説明する。図６は、図５の発光装置３ａの動作を示すタイムチャートである。時刻ｔ１にスタンバイ信号ＳＴＢがローレベルとなり、スタンバイ状態への遷移が指示される。これを受けて、スタンバイ制御部５０ａは制御信号Ｓ４、Ｓ５をローレベルとし、制御ＩＣ１００ａのパルス生成部１９および電流駆動回路８をシャットダウンする。
【００６５】
またスタンバイ信号ＳＴＢがローレベルとなると第１トランジスタＭ２がオンし、放電経路６２を介して出力キャパシタＣ１が放電され、出力電圧ＶＯＵＴが低下する。
【００６６】
時刻ｔ３にスタンバイ信号ＳＴＢがハイレベルに戻り、スタンバイ状態から通常の動作状態への復帰が指示される。このとき、出力電圧ＶＯＵＴはゼロであるため、ＬＥＤストリング６は発光しない。制御ＩＣ１００ａは、所定のソフトスタートシーケンスにしたがい出力電圧ＶＯＵＴを徐々に上昇させる。出力電圧ＶＯＵＴの上昇にともない、駆動電流ＩＬＥＤも増加していく。
【００６７】
以上が発光装置３ａの動作である。この発光装置３ａによれば、スタンバイ状態からの復帰時に、出力電圧ＶＯＵＴはＬＥＤストリング６が発光しない電圧レベルまで低下しているため、図２で説明したようなちらつきを好適に防止することができる。
【００６８】
以上、本発明について、実施の形態をもとに説明した。この実施の形態は例示であり、それらの各構成要素や各処理プロセス、それらの組み合わせには、さまざまな変形例が存在しうる。以下、こうした変形例について説明する。
【００６９】
タイマー回路の構成は、図３のそれに限定されず、その他の構成を用いてもよい。たとえば、キャパシタＣＲＥＧおよび内部電源３０とは別に、タイマー回路専用のキャパシタと、キャパシタを初期電圧ＶＩＮＩＴに充電する電圧源（充電回路）を設けてもよい。この場合、初期電位ＶＩＮＩＴを任意に選ぶことができるため、初期電圧ＶＩＮＩＴとキャパシタの容量値に応じて、所定時間τＤを設定することができる。
【００７０】
タイマー回路としては、キャパシタの充放電を利用するものの他、デジタルカウンタを用いることもできる。
【００７１】
実施の形態ではインダクタを用いた非絶縁型のスイッチング電源を説明したが、本発明はトランスを用いた絶縁型のスイッチング電源にも適用可能である。
【００７２】
実施の形態では、発光装置３のアプリケーションとして電子機器を説明したが、用途は特に限定されず、照明などにも利用できる。
【００７３】
また、本実施の形態において、各信号のハイレベル、ローレベルの論理信号の設定は一例であって、インバータなどによって適宜反転させることにより自由に変更することが可能である。
【００７４】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００７５】
２…電子機器、３…発光装置、４…スイッチング電源、５…ＬＣＤパネル、６…ＬＥＤストリング、８…電流駆動回路、９…ＰＷＭコントローラ、１００…制御ＩＣ、１０２…出力回路、１９…パルス生成部、２０…パルス変調器、２２…誤差増幅器、２４…オシレータ、２６…ＰＷＭコンパレータ、２８…ドライバ、３０…内部電源、５０…スタンバイ制御部、５２…放電回路、５４…コンパレータ、５６…ロジック部、６０…放電回路、６２…放電経路、６４…ゲート制御回路、７０…ＯＶＰ回路、Ｌ１…インダクタ、Ｃ１…出力キャパシタ、Ｄ１…整流ダイオード、Ｍ１…スイッチングトランジスタ。
【図１】
0005735825.tif 000002
【図２】
0005735825.tif 000003
【図３】
0005735825.tif 000004
【図４】
0005735825.tif 000005
【図５】
0005735825.tif 000006
【図６】
0005735825.tif 000007